【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
圧力調整装置であって、
気体入口と、
前記気体入口と流体連通する膨張室を画定する膨張本体と、
第１段の圧力調整器であって、その内部を通って流通する気体の気体圧力を低下させるように構成され、前記膨張室と流体連通している第１段の圧力調整器と、
中間調整器本体であって、前記膨張本体にねじ結合され、前記第１段の圧力調整器の少なくとも一部をこれらの間に固定していて、前記膨張本体と前記中間調整器本体との間の距離を変更すると、前記第１段の調整器によって生成される圧力低下量が変化するようになっている、中間調整器本体と、
前記第１段の圧力調整器の下流に位置決めされて前記第１段の圧力調整器と流体連通している第２段の圧力調整器であって、その内部を流通する気体の気体圧力を低下させるように構成された第２段の圧力調整器と、
前記第２段圧力調整器の下流に位置決めされた気体出口と、
を備えており、
前記第１段の圧力調整器は第１の弁を有しており、前記膨張本体は、前記第１の弁の入口を形成するために前記膨張室内に近位方向に延びる中空状の突起を有しており、前記第１の弁は、前記気体入口から間隔をおいて前記膨張室内に位置決めされている、
ことを特徴とする圧力調整装置。
【請求項２】
調整器キャップであって、前記中間調整器本体にねじ結合され、前記第２段の圧力調整器の少なくとも一部をこれらの間に収容する調整器キャップをさらに備え、前記調整器キャップと前記中間調整器本体との間の距離が変化すると、前記第２段の調整器によって生成される圧力低下の量が変化するようになっている、請求項１に記載の圧力調整装置。
【請求項３】
前記第１段の圧力調整器は、
前記気体入口に対して上流方向および下流方向に移動可能であり、前記第１の弁を開くように第１の密封部材を移動させるように構成された第１のピストンと、
前記第１のピストンに前記上流方向に力を加えるように位置決めされた第１の付勢部材と、
対向する第１のねじ付き部分および第２のねじ付き部分を含み、前記第１のねじ付き部分および前記第２のねじ付き部分は、互いに螺合し、それらの間で前記第１の付勢部材を取り囲んでいる第１の調節機構と、を含む、
請求項１に記載の圧力調整装置。
【請求項４】
前記第１のねじ付き部分は、前記膨張本体から遠位に延びている、請求項３に記載の圧力調整装置。
【請求項５】
前記第１のピストンは、前記膨張本体から遠位方向に延びる第１の突起の内面および前記中間調整器本体から近位方向に延びる第２の突起の内面に対して密封されている、請求項３に記載の圧力調整装置。
【請求項６】
前記膨張本体は、前記空洞と流体連通している入口を有し、前記第１のピストンの少なくとも一部は、前記第１の弁を開くために前記入口内に移動可能である、請求項３に記載の圧力調整装置。
【請求項７】
前記第１のピストンは、その内部を貫通する１つ以上の通路を含む、請求項３に記載の圧力調整装置。
【請求項８】
前記第２段の圧力調整器は、
第２の弁の内部を流通する気体流を開閉するように構成された第２の密封部材を含む第２の弁と、
前記気体入口に対して上流方向および下流方向に移動可能であり、前記第２の弁を開くように前記密封部材を移動させるように構成された第２のピストンと、
前記第２のピストンに力を上流方向に加えるように位置決めされた第２の付勢部材と、
前記第２の付勢部材によって前記第２のピストンに加わる力の大きさを変更するように構成された第２の調節機構と、を含む、
請求項３に記載の圧力調整装置。
【請求項９】
前記第２のピストンは、その内部を貫通する１つ以上の通路を含む、請求項８に記載の圧力調整装置。
【請求項１０】
前記第２のピストンは、前記中間調整器本体によって少なくとも部分的に画定される空間内に位置決めされている、請求項８に記載の圧力調整装置。
【請求項１１】
前記第１の付勢部材は、前記中間調整器本体と前記膨張本体との間に位置決めされ、それらの間の距離を変更することによって圧縮可能である、請求項３に記載の圧力調整装置。
【請求項１２】
前記中間調整器本体にねじ結合された調整器キャップをさらに備え、前記第２のピストンは、前記中間調整器本体と前記調整器キャップとの間の空間に位置決めされている、請求項８に記載の圧力調整装置。
【請求項１３】
前記第２の付勢部材は、前記中間調整器本体と前記調整器キャップとの間に位置決めされ、それらの間の距離を変更することによって圧縮可能である、請求項１２に記載の圧力調整装置。
【請求項１４】
前記調整器キャップの内側に位置決めされて前記気体出口と流体連通している指示器ピストンをさらに備え、前記指示器ピストンは、前記指示器ピストンが受ける圧力を示すように構成されたスケールを含む、請求項１２に記載の圧力調整装置。
【請求項１５】
前記気体入口を少なくとも部分的に形成する入口そらせ板をさらに備え、前記入口そらせ板は、前記気体入口の下流に位置決めされた邪魔板を含む、請求項１に記載の圧力調整装置。
【請求項１６】
前記邪魔板は円板形状である、請求項１５に記載の圧力調整装置。
【請求項１７】
前記入口そらせ板は、
前記気体入口を有する中実本体と、
前記中実本体上に接続されて前記邪魔板を前記中実本体に固定する取付け部であって、前記気体入口と流体連通する１つ以上の開口部を有し、前記１つ以上の開口部は、前記中実本体と前記邪魔板との間に配置されている取付け部と、を含む、
請求項１６に記載の圧力調整装置。
【請求項１８】
前記第１の弁から前記膨張室内に延びて気体が前記膨張室から前記第１の弁に流れるための通路を定める調整器流入部材をさらに備える、請求項１に記載の圧力調整装置。
【請求項１９】
圧力調整装置であって、
気体入口と、
前記気体入口と流体連通する膨張室を画定する膨張本体と、
第１段の圧力調整器であって、その内部を流通する気体の気体圧力を低下させるように構成され、前記膨張室と流体連通し、
第１の弁であって、その内部を流通する気体流を開閉するように構成された第１の密封部材を含む第１の弁と、
前記気体入口に対して上流方向および下流方向に移動可能であり、前記第１の弁を開くように前記第１の密封部材を移動させるように構成された第１のピストンと、
前記第１のピストンに力を上流方向に加えるように位置決めされた第１の付勢部材と、
対向する第１のねじ付き壁および第２のねじ付き壁を含み、前記第１のねじ付き壁および前記第２のねじ付き壁は、互いに螺合して、それらの間に前記第１の付勢部材を取り囲んでいる第１の調節機構と、を含む第１段の圧力調整器と、
前記第１段の圧力調整器の下流に位置決めされて前記第１段の圧力調整器と流体連通している第２段の圧力調整器であって、その内部を流通する気体の気体圧力を低下させるように構成された第２段の圧力調整器と、
前記第２段の圧力調整器の下流に位置決めされた気体出口と、
を備えており、
前記第１のピストンは、前記膨張本体から遠位方向に延びていて、前記第１のねじ付き壁から半径方向内側に離れて位置する第1の突起の内面に対して密封され、かつ前記第1の突起と向かい合っていて、前記第２のねじ付き壁から半径方向内側に離れて位置する第２の突起の内面に対して密封されている、
圧力調整装置。
【請求項２０】
前記第１のねじ付き壁は、前記膨張本体から遠位方向に延びている、請求項１９に記載の圧力調整装置。
【請求項２１】
前記膨張本体は、前記膨張室内に延びて空洞を定める中空突起を含み、
前記第１の密封部材は前記空洞の内側に位置決めされている、
請求項１９に記載の圧力調整装置。
【請求項２２】
前記第１の弁は、
前記空洞内に位置決めされた第１のシールと、
前記空洞内に位置決めされて前記第１の密封部材を前記第１のシールに向かって押すように構成された第１の付勢部材と、を含む、
請求項２１に記載の圧力調整装置。
【請求項２３】
前記膨張本体は、前記空洞と流体連通している入口を有し、前記第１のピストンの少なくとも一部が前記第１のピストンを開くために前記入口内に移動可能である、請求項２１に記載の圧力調整装置。
【請求項２４】
前記第１のピストンは、その内部を貫通する１つ以上の通路を含む、請求項１９に記載の圧力調整装置。
【請求項２５】
前記第２段の圧力調整器は、
前記第２の弁を流通する気体流を開閉するように構成された第２の密封部材を含む第２の弁と、
前記気体入口に対して上流方向および下流方向に移動可能であり、前記第２の弁を開くように前記密封部材を移動させるように構成された第２のピストンと、
前記第２のピストンに力を上流方向に加えるように位置決めされた第２の付勢部材と、
前記付勢部材によって前記第２のピストンに加わる力の大きさを変更するように構成された第２の調節機構と、を含む、
請求項１９に記載の圧力調整装置。
【請求項２６】
前記第２のピストンは、その内部を貫通する１つ以上の通路を含む、請求項２５に記載の圧力調整装置。
【請求項２７】
前記膨張本体にねじ取付けされた中間調整器本体をさらに備え、前記第１のピストンは、前記中間調整器本体と前記膨張本体との間に位置決めされ、前記第２のピストンは、前記中間調整器本体によって少なくとも部分的に画定される空間内に位置決めされている、請求項２５に記載の圧力調整装置。
【請求項２８】
前記第１の付勢部材は、前記中間調整器本体と前記膨張本体との間に位置決めされ、それらの間の距離を変更することによって圧縮可能である、請求項２７に記載の圧力調整装置。
【請求項２９】
前記中間調整器本体にねじ接続された調整器キャップをさらに備え、前記第２のピストンは、前記中間調整器本体と前記調整器キャップとの間の空間に位置決めされている、請求項２７に記載の圧力調整装置。
【請求項３０】
前記第２の付勢部材は、前記中間調整器本体と前記調整器キャップとの間に配置され、それらの間の距離を変更することによって圧縮可能である、請求項２９に記載の圧力調整装置。
【請求項３１】
前記調整器キャップの内側に位置決めされて前記気体出口と流体連通している指示器ピストンをさらに備え、前記指示器ピストンは、前記指示器ピストンが受ける圧力を示すように構成されたスケールを含む、請求項２９に記載の圧力調整装置。
【請求項３２】
前記気体入口を少なくとも部分的に定める入口そらせ板をさらに備え、前記入口そらせ板は、前記気体入口の下流に位置決めされた邪魔板を含む、請求項１９に記載の圧力調整装置。
【請求項３３】
前記邪魔板は円板形状である、請求項３２に記載の圧力調整装置。
【請求項３４】
前記入口そらせ板は、
前記気体入口を定める中実本体と、
前記中実本体上に接続されて前記邪魔板を前記中実本体に固定する取付け部であって、前記気体入口と流体連通する１つ以上の開口部を有し、前記１つ以上の開口部は、前記中実本体と前記邪魔板との間に配置されている取付け部と、を含む、
請求項３３に記載の圧力調整装置。
【請求項３５】
前記第１の弁から前記膨張室内に延びて気体が前記膨張室から前記第１の弁に流れるための通路を形成する調整器流入部材をさらに備える、請求項１９に記載の圧力調整装置。
【請求項３６】
システムであって、
加圧カフと、
圧力調整装置と、を備え、前記圧力調整装置は、
気体入口と、
前記気体入口と流体連通している膨張室を画定していて、前記膨張室内に近位方向に延びる中空状の突起を含む膨張本体と、
第１段の圧力調整器であって、その内部を流通する気体の気体圧力を低下させるように構成され、前記膨張室と流体連通しており、前記中空状の突起の内部に配置された第１の密封部材を有する第１段の圧力調整器と、
中間調整体本体であって、前記膨張本体にねじ結合され、前記第１段の圧力調整器の少なくとも一部をこれらの間に固定していて、前記膨張本体と前記中間調整器本体との間の距離を変更すると、前記第１段の調整器によって生成される圧力低下量が変化するようになっている、中間調整器本体と、
第２段の圧力調整器であって、前記第１段の圧力調整器の下流に位置決めされて前記第１段の圧力調整器と流体連通しており、その内部を流通する気体の気体圧力を低下させるように構成された第２段の圧力調整器と、
前記第２段圧力調整器の下流に位置決めされ、前記加圧カフに接続された気体出口と、を備える、
システム。
【請求項３７】
前記加圧カフは、静脈用バッグを圧縮するような大きさおよび構成にされている、請求項３６に記載のシステム。
【請求項３８】
前記第１の密封部材に対して前記第１の付勢部材を押し付ける保持部材であって、前記第１の弁の入口を形成する前記中空状の突起によって画定される空洞内へ、該保持部材を貫通して圧縮気体が流入することを可能にする開口部を有している保持部材をさらに備える、請求項３に記載の圧力調製装置。
【請求項３９】
前記第１の密封部材に対して前記第１の付勢部材を押し付ける保持部材であって、前記第１の弁の入口を形成する前記中空状の突起によって画定される空洞内へ、該保持部材を貫通して圧縮気体が流入することを可能にする開口部を有している保持部材をさらに備える、請求項１９に記載の圧力調製装置。